(57)【特許請求の範囲】
【請求項１】
まつ毛を挟むための上側挟持部を有する上側押圧部と、前記まつ毛を挟むための下側挟持部を有する下側押圧部とを備えるまつ毛カール器であって、前記上側押圧部は、使用時に瞼に接触するように宛がって瞼との摩擦力によって瞼を押し上げるための接触面と、上面部と、該上面部から突出する一対の上向きの突起部とを有し、該突起部は、その先端で、瞼を引っ掛けるように押し上げるものであり、まつ毛カール器の長手方向中心線を挟んで線対称となるように設けられ、且つ上面部の最も高い位置よりも上方に突出する高さを有し、
まつ毛カール器の接触面のある側を正面側とし、反対側を背面側として、それぞれの突起部の全体が接触面の位置よりも背面側に距離を置いた位置に設けられ、したがって、突起部の正面部は接触面よりも背面側に距離を置いており、
前記突起部の先端の押上げ力と、前記接触面と瞼との摩擦力とにより、瞼を押し上げ、且つ押し上げた瞼の押上げ状態を維持することを特徴とするまつ毛カール器。
【請求項２】
接触面は、上側に行くに従って徐々に背面側に寄って行く傾斜面に形成されている請求項１記載のまつ毛カール器。
【請求項３】
突起部は、板状に形成されている請求項１又は請求項２記載のまつ毛カール器。
【請求項４】
板状である突起部の厚みが、突起部の上部に行くに従って徐々に薄くなるように変化する請求項３記載のまつ毛カール器。
【請求項５】
まつ毛カール器の正面視で突起部の形状は、頂部にアールを有する三角形である請求項１乃至請求項４のいずれか一項記載のまつ毛カール器。
【請求項６】
突起部の形状は、顔又は頭部に一対の突起がある動物のその突起の形状を模するように形成されている請求項１乃至請求項５のいずれか一項記載のまつ毛カール器。
【発明の詳細な説明】
【技術分野】
【０００１】
本発明は、主に女性が使用するまつ毛カール器に関する。
【背景技術】
【０００２】
まつ毛カール器でまつ毛をカールするときは、瞼を押し上げて使用するとまつ毛を根元からカールすることができる。したがって、従来のまつ毛カール器は、瞼に接触するための接触面を上側押圧部に形成し、その接触面を瞼に接触させることにより、接触面と瞼との摩擦力によって瞼を押し上げていた。特許文献１のまつ毛カール器は、ボディの上端から延びる一対のネックの上端を跨ぐ上側押圧部に接触面を設けたものである。また、特許文献２のまつ毛カール器は、板状の上側押圧体を円弧状に曲げて、その内面を接触面としたものである。これらのまつ毛カール器は、接触面を瞼に接触させてその摩擦力で瞼を押し上げ、その押上げた瞼の押上げ状態を維持しながら使用するものである。そのためには、接触面と瞼との摩擦力が一定の大きさ以上でなければならず、接触面を瞼に軽く宛がっただけでは一定以上の摩擦力を得ることができない。したがって、ある程度、瞼に強めに押し当てなければならず、眼に負担がかかっていた。
【０００３】
そこで、その摩擦力を大きくするために、特許文献３のまつ毛カール器は、接触面を摩擦係数の大きな材料で形成して、その摩擦力で瞼を押し上げ、押上げた瞼の押上げ状態を維持しようとするものである。しかし、摩擦力は押し当て力の大きさに比例するから、接触面を摩擦係数の大きな材料で形成しても、瞼に対する押し当て力が小さければ十分な摩擦力を得ることができない。そこで、ある程度、押し当て力を大きくしなければならず、結局、前記特許文献１及び特許文献２と同様に眼に負担がかかっていた。
【０００４】
すなわち、特許文献１、特許文献２及び特許文献３に記載のまつ毛カール器は、いずれも、瞼を押し上げるために瞼と上側押圧部の接触面との摩擦力を利用しており、十分な摩擦力を得るためにはある程度眼に負担がかかってしまうことは避けられなかった。
【先行技術文献】
【特許文献】
【０００５】
【特許文献１】特開２００１−２０４５３５号公報
【特許文献２】特開２００４−８１２９１号公報
【特許文献３】意匠登録第１２５４２９９号公報
【発明の概要】
【発明が解決しようとする課題】
【０００６】
本発明は、上側押圧部の接触面を瞼に宛がって瞼を押し上げ、その押し上げ状態を維持するときに、接触面を瞼に押し当てる力を軽減することができるまつ毛カール器を提供することを目的とする。
【課題を解決するための手段】
【０００７】
請求項１記載の発明は、まつ毛を挟むための上側挟持部を有する上側押圧部と、前記まつ毛を挟むための下側挟持部を有する下側押圧部とを備えるまつ毛カール器であって、前記上側押圧部は、使用時に瞼に接触するように宛がって瞼との摩擦力によって瞼を押し上げるための接触面と、上面部と、該上面部から突出する一対の上向きの突起部とを有し、該突起部は、その先端で、瞼を引っ掛けるように押し上げるものであり、まつ毛カール器の長手方向中心線を挟んで線対称となるように設けられ、且つ上面部の最も高い位置よりも上方に突出する高さを有し、まつ毛カール器の接触面のある側を正面側とし、反対側を背面側として、それぞれの突起部の全体が接触面の位置よりも背面側に距離を置いた位置に設けられ、したがって、突起部の正面部は接触面よりも背面側に距離を置いており、前記突起部の先端の押上げ力と、前記接触面と瞼との摩擦力とにより、瞼を押し上げ、且つ押し上げた瞼の押上げ状態を維持する構成である。
【０００８】
請求項２記載の発明は、接触面が、上側に行くに従って徐々に背面側に寄って行く傾斜面に形成されている構成である。
【０００９】
請求項３記載の発明は、瞼を押し上げるための突起部が板状に形成されている構成である。
【００１０】
請求項４記載の発明は、板状に形成されている突起部の厚みが、突起部の上部に行くに従って徐々に薄くなるように変化する構成である。
【００１１】
請求項５記載の発明は、まつ毛カール器の正面視で突起部の形状は、頂部にアールを有する三角形である構成である。
【００１２】
請求項６記載の発明は、突起部の形状が、顔又は頭部に一対の突起がある動物のその突起の形状を模するように形成されている構成である。
【発明の効果】
【００１３】
請求項１記載のまつ毛カール器は、その上側押圧部が、瞼に接触するための接触面を有すると共に、その接触面の上側に、少なくとも１つの上向きの突起部を有しており、その突起部の押上げ力と前記接触面と瞼との摩擦力とにより、瞼を押し上げ、且つ押し上げた瞼の押上げ状態を維持するものである。瞼を押し上げるときに、突起部の先端は瞼を部分的に押し上げるために、瞼に食い込みやすく、瞼を引っ掛けるように押し上げる。従来のまつ毛カール器では、接触面で瞼全体を一度に押し上げるので、瞼を引っ掛ける作用に乏しく、瞼の押上げを接触面との摩擦力だけに依存するため瞼が下がる虞があったのである。請求項１記載のまつ毛カール器では、突起部と瞼の間には接触による摩擦力のほか、突起部先端の引っ掛け力が働き、しかもこの引っ掛け力は、眼を圧迫するものではないから眼に悪影響を与える虞がない。したがって、突起部によって、瞼の押上げ状態を維持する効果は大きいものである。そして、従来と同じように、瞼の押上げ状態を維持するための接触面も有しており、この接触面による摩擦力も瞼の押上げ状態を維持するための効果を発揮するものである。すなわち、請求項１記載のまつ毛カール器は、突起部と接触面の二か所で瞼の押上げ状態を維持するので、使用時に瞼が下がることを効率的に阻止することができる。さらに、突起部の押上げ力が働くために、接触面で瞼に強く押し当てて大きな摩擦力を生じさせる必要がなく、圧迫によって眼が痛くなるなどの悪影響を抑制することができる。さらに、突起部は、瞼をしっかりとらえて確実に押し上げることができるので、瞼が押し上げやすくなり、まつ毛を根元からしっかりカールすることができて、ぱっちりした目元に仕上げることができる。
【００１４】
請求項２記載のまつ毛カール器は、接触面は、上側に行くに従って徐々に背面側に寄って行く傾斜面に形成されている。したがって、突起部の正面部を接触面の位置にすると、突起部の正面部と接触面とが「く」字形に曲がって接続する。このような状態で使用時に接触面を瞼に宛がうと、突起部の先端が瞼の厚み方向に深く食い込み、瞼を押し上げるときに突起部の先端が、眼を強く押したり瞼の内側の骨に当たるなどして、使用者に痛みを与える虞がある。そこで、突起部を少し背面側に寄せることにより、接触面が、背面側に寄って行く傾斜面に形成されていても、突起部の先端が瞼の厚み方向に深く食い込むことを抑えることができる。
【００１５】
請求項３記載のまつ毛カール器は、突起部が板状に形成されているので、突起部先端で瞼を引っ掛けて押上げ易い。また、請求項４記載のまつ毛カール器は、その板状の突起部の厚みが、突起部の上部に行くに従って徐々に薄くなるように変化するので、突起部の根元部分の厚みが厚くなり、突起部が根元から折れる虞を防止することができる。
【００１６】
請求項５記載のまつ毛カール器は、まつ毛カール器の正面視で突起部の形状は頂部にアールを有する三角形に形成されている。したがって、突起部の先端がやや尖ったような形状となるので、瞼を押し上げる際に、突起部の先端が瞼を引っ掛けやすく容易に押し上げることができる。
【００１７】
請求項６記載の発明は、突起部の形状が、顔又は頭部に一対の突起がある動物のその突起の形状を模するように形成されている。それらの動物の突起としては、例えば、猫、犬、ウサギ、クマ、パンダ、レッサーパンダ、きつね、りす、ねずみ、たぬき、アルパカ、きりん、牛、羊、ブタ等の耳や、カエルの目とその上の瞼などである。これらの突起を形成することによって、使用者に対して、動物の持つ可愛らしいイメージを与えることができ、購入者に対しては購買意欲を高めることができる。
【図面の簡単な説明】
【００１８】
【図１】本発明の斜視図である。
【図２】本発明の使用前の状態を示す正面図である。
【図３】本発明の使用時の状態を示す正面図である。
【図４】本発明の摺動部材を摺動させる機構を示す斜視図である。
【図５】本発明の使用時の内部状態を示す一部断面図である。
【図６】本発明の使用時の内部状態を示す縦断面図である。
【図７】本発明のレバーを回転させる直前の状態を示す縦断面図である。
【図８】本発明の使用前の状態を示す縦断面図である。
【図９】レバーの回転によって摺動部材を摺動させる機構の斜視図である。
【図１０】突起部の他の実施例の斜視図である。
【図１１】突起部の他の実施例の斜視図である。
【図１２】突起部の他の実施例の斜視図である。
【図１３】使用状態を示す写真である。
【発明を実施するための形態】
【００１９】
次に、本発明の実施例について、図面を参照しながら説明する。まつ毛カール器１は、カール器本体２を有し、そのカール器本体２は、ボディ３と、そのボディ３の上端の両端部から延びる一対のネック４，４と、そのネック４，４の上端部を跨ぐ上側押圧部５を含んで、熱可塑性樹脂等のプラスチックで一体的に形成されている。ボディ２は、ボディ正面部６とボディ背面部７を接合することにより、ケース状に形成されている。ボディ背面部５が、ネック４と連接している。
【００２０】
上側押圧部５は、まつ毛を挟むための上側挟持部８を有する。また、上側押圧部５は、まつ毛カール器１の使用時に瞼に接触するための接触面９が形成され、この接触面９は凹の弧状をなしている。この接触面９は、図６で示すように、垂直に立っておらず、上側に行くに従って徐々に背面側に寄って行く傾斜面に形成されている。
【００２１】
また、上側押圧部５は、上面部１０を有し、その上面部１０に一対の突起部１１，１１が上向きに上側押圧部５と一体に設けられている。図６に示すように、突起部１１，１１は、接触面９の位置よりも背面側に距離を置いた位置に設けられている。なお、突起部１１，１１は、上側押圧部５と別体に設けられてもよく、エラストマのようなゴム弾性を有する熱可塑性樹脂で形成されてもよい。突起部１１，１１は、正面視で三角形をなし、全体的に板状に形成され、厚みは、突起部１１，１１の上端に行くに従って徐々に薄くなるように変化している。上側押圧部５と突起部１１の境界である突起部１１，１１の底面は、ほぼ長円形である。ただし、長円形に限定されるものでなく、例えば、長方形や楕円形等であっても差し支えない。突起部１１，１１はまつ毛カール器１の中心線に対し対称に設けられ、上側押圧部５の接触面９から背面側にやや距離を置いて位置している。なお、突起部１１，１１の正面部１２，１２と接触面９の位置がほぼ同じであってもよい。本実施例の突起１１，１１は猫の耳を模した形状に形成されている。突起１１，１１の形状は猫の耳に限定されるものでなく、前述したように、犬、ウサギ、クマ、パンダ、レッサーパンダ、きつね、りす、ねずみ、たぬき、アルパカ、きりん、牛、羊、ブタ等の耳や、カエルの目とその上の瞼などであってもよい。
【００２２】
ボディ２は、接合されたボディ正面部６とボディ背面部７との間に空洞部１３を有する。空洞部１３には、摺動部材１４が上下方向に摺動可能に取り付けられている。摺動部材１４は、厚肉の板状であってプラスチックで一体に形成されている。摺動部材１４の全体形状はほぼＴ形であって、Ｔ形の横棒部分が、下側押圧部１５であり、その下側押圧部１５の上端にまつ毛を挟むための下側挟持部１６が取り付けられている。この下側挟持部１６は、細長いゴムで形成されている。
【００２３】
図５に示すように、摺動部材１４は、その下側押圧部１５から垂下されるＴの脚部分１７を有する。脚部分１７は、幅広に形成され、その中央には、縦方向に延びるガイド穴１８が設けられている。このガイド穴１８は摺動部材１４を上下に摺動するときのガイド作用を果たすものである。ガイド穴１８を設けることにより、脚部分１７に一対の柱状部分２０，２０が形成される。そして、その柱状部分２０，２０には、比較的大きな凹部１９，１９が設けられている。
【００２４】
さらに、図５に示すように、ボディ正面部６の内面には、コイルバネ２１を収納するためのバネ収納部２２が一体に設けられている。バネ収納部２２は、両側壁部２７，２７と上壁部２８とで囲まれ、底面は開放されている。コイルバネ２１は、その開放された底面から下方に延びて、コイルバネ２１の下端部が、ガイド穴１８の底部２６に圧接する。また、図４に示すようにバネ収納部２２の背面は開放されている。前述したように、コイルバネ収納部２２はボディ正面部６の内面に一体に設けられているので、図４にはそのボディ正面部６が表われるのであるが、図４はそのボディ正面部６を省略してある。バネ収納部２２の両側壁部２７，２７の両外面間の距離は、摺動部材１４のガイド穴１８の内径よりもやや狭く形成されており、摺動部材１４がバネ収納部２２に対して摺動可能となるように、バネ収納部２２はガイド穴１８に緩めに嵌められている。バネ収納部２２がガイド穴１８に緩めに嵌められることにより、これらが協働して摺動部材１４の上下方向の摺動がガイドされる。また、摺動部材１４を摺動可能とするために、バネ収納部２２の両側には、摺動部材１４の柱状部分２０，２０が摺動するための、上端が開放された摺動路２３，２３が存在する。バネ収納部２２に収納されているコイルバネ２１は、常時、そのコイルバネ２１の下端部がガイド穴１８の底部２６に圧接して圧縮状態にあるので、摺動部材１４は、コイルバネ２１によって下方に付勢されている。摺動部材１４を上方に摺動させるときは、レバー２９を下方に回転させてコイルバネ２１を圧縮させることにより行う。図５は、摺動部材１４が、使用状態である最も上方に摺動したときの状態を示しているが、この状態から摺動部材１４がコイルバネ２１の付勢力によって下降すると、下側押圧部１５の両端部の底面２５，２５が、ボディ正面部６の両端部の上面２４，２４に当たって、その位置で下降が規制される。
【００２５】
前述したように、コイルバネ２１によって下方に付勢されている摺動部材１４を、付勢力に抗して上方に摺動させるための部材は、ボディ背面部７に取り付けられたレバ−２９及び爪部材３０である。図９に示すように、これらの部材は同じ回転軸３１に回転可能に取付けられている。また、回転軸３１の両端部３２，３２は、ボディ背面部７の軸受（図示せず。）に支持されている。レバー２９は幅広の板状に形成され、不使用時には、上向きの状態で両ネック４，４に設けられた係止凸部３７，３７に係止されて、両ネック部４，４の間に固定される。このレバ−２９を下方に回動させると、レバ−２９の基端部３３が爪部材３０の基部３４の表面に当たって、爪部材３０を回転させる。爪部材３０の回転により、爪部材３０の先端爪部３５，３５が、摺動部材１４に設けられた凹部１９，１９の上面３６，３６に当たって摺動部材１４を押し上げ、上方に摺動させる。摺動部材１４を一杯に押し上げると、下側挟持部１６が、上側挟持部８に圧接してまつ毛をカールさせることができる。
【００２６】
次に、本発明の使用方法を説明する。まつ毛カール器１の使用前の状態は、図８に示すように、レバー２９が、上側に回転して上向きの状態で畳まれている。使用時には、まずこのレバー２９の上端に指先を掛けて、図７に示すようにレバー２９を下方に回転させる。次いで、親指をボディ正面部６の表面に宛がい、人差し指と中指をレバー２９の表面に宛がって、接触面９を瞼の表面に接触させる。次いで、図１３に示すように、まつ毛カール器１を、顔の表面に対して下方に行くに従って顔の表面から遠ざかるように斜めに傾け、突起部１１，１１の先端部が瞼に食い込むようにして瞼を押し上げる。その際、接触面９を瞼に押し当てて、接触面９と瞼の摩擦力でも瞼を押し上げるようにする。次いで、図６に示すように、レバー２９を下方に一杯に回転させ、上側挟持部８と下側挟持部１６とでまつ毛を挟んでカールさせる。図１３から明らかな通り、突起部は瞼の中に食い込んで瞼を確実に押し上げており、これにより接触面を強い力で瞼に押し当てて大きな摩擦力を生じさせなくても、瞼を押し上げることができ、且つ押上げた瞼の押上げ状態を維持することができるものである。
【００２７】
次に、本実施例の突起部１１，１１のサイズについて説明する。突起部の先端部の曲率半径については、約１．０ｍｍから約４．０ｍｍの範囲が好ましく、例えば、１．０ｍｍ、２．５ｍｍ及び４．０ｍｍのサイズが使用される。この範囲の場合、瞼の食い込み、押し上げが良く、痛みも気にならないという優れた効果を生じる。また、突起部の高さについては、約４．２５ｍｍから約６．５ｍｍの範囲が好ましく、例えば、４．５ｍｍと６．５ｍｍのサイズが使用される。この範囲の場合、瞼の食い込み、押し上げが良く、痛みも気にならないという優れた効果を生じる。また、突起部の厚みについては、先端からやや下がった部分の厚みが、約２．０ｍｍから約３、０ｍｍの範囲が好ましく、例えば、３ｍｍのサイズが使用される。この範囲の場合、瞼の食い込み、押し上げが良く、痛みも気にならないという優れた効果を生じる。突起部の数については、２つが好ましく、突起部が眼の形状に沿うのでバランスよく瞼を押し上げることができる。数値は以上の通りであるが、本発明がこれらの数値に限定されないことは勿論である。
【００２８】
本発明は前述した構成に基づいて種々の態様をとることが可能である。例えば、突起部の形状は本実施例に限定されるものでなく、図１０に示すように正面視三角形であって、厚みが下から上まで一定のものであってもよい。また、図１１に示すように正面視半円形に近い形状であってもよい。また、図１２に示すように正面視上端を弧状にした四角形であってもよい。
【符号の説明】
【００２９】
１  まつ毛カール器、    ２  まつ毛カール器本体、    ３  ボディ、    ４  ネック、    ５  上側押圧部、    ６  ボディ正面部、    ７  ボディ背面部、    ８  上側挟持部、    ９  接触面、    １０  上面部、    １１  突起部、    １２  突起部の正面部、    １３  空洞部、    １４  摺動部材、    １５  下側押圧部、    １６  下側挟持部、    １７  脚部分、    １８  ガイド穴、    １９  凹部、    ２０  柱状部分、    ２１  コイルバネ、    ２２  バネ収納部、    ２３  摺動路、    ２４  ボディ正面部の両端部の上面、    ２５  下側押圧部の両端部の底面、    ２６  ガイド穴の底部、    ２７  側壁部、    ２８  上壁部、    ２９  レバー、    ３０  爪部材、    ３１  回転軸、    ３２  回転軸の端部、    ３３  レバーの基端部、    ３４  爪部材の基部、    ３５  先端爪部、    ３６  凹部の上面、    ３７  係止凸部
【要約】      （修正有）【課題】まつ毛を挟むための上側挟持部を有する上側押圧部と、まつ毛を挟むための下側挟持部を有する下側押圧部とを備えており、使用時に、上側押圧部の接触面を瞼に宛がって瞼を押し上げ、その押し上げ状態を維持するときに、接触面の瞼に対する押し当て力を軽減することができるまつ毛カール器を提供すること。【解決手段】上側押圧部５の接触面の上側に、少なくとも１つの上向きの突起部１１，１１を有しており、突起部１１，１１の押上げ力と、接触面と瞼の摩擦力とにより、瞼を押し上げ、且つ押上げた瞼の押上げ状態を維持する。【選択図】図１【図１】
0006928703.tif 000002
【図２】
0006928703.tif 000003
【図３】
0006928703.tif 000004
【図４】
0006928703.tif 000005
【図５】
0006928703.tif 000006
【図６】
0006928703.tif 000007
【図７】
0006928703.tif 000008
【図８】
0006928703.tif 000009
【図９】
0006928703.tif 000010
【図１０】
0006928703.tif 000011
【図１１】
0006928703.tif 000012
【図１２】
0006928703.tif 000013
【図１３】
0006928703.tif 000014